(57)【要約】【課題】不使用時のスキャナを被検者の視野外に退避させることにより、被検者に重量物であるスキャナの存在による不安感を与えることのない画像診断装置を提供する。【解決手段】ガントリ２は、下端が床に固定された脚３と、脚３の上方に回転可能に支持された保持部８と、一端が保持部８に保持されたスキャナ４と、保持部８と軸着された大歯車６と、大歯車６と歯合する小歯車７と、小歯車７と軸着され脚３に固定されたモータ５で構成される。スキャナ４はモータ５の回転にともない保持部８を回転中心として回転移動し、撮影していないときは図１（１）に示すとおり被検者９の視野外の退避位置にある。【選択図】          図１
2011104118.tif 000002
【特許請求の範囲】
【請求項１】
被検者を載置する検診台と、ガントリを備えた画像診断装置において、前記ガントリはスキャナと、前記スキャナを回転可能に保持する保持部と、前記スキャナを回転とともに前記被検者の視野外に移動する回転移動手段とを備えていることを特徴とする画像診断装置。
【請求項２】
請求項１記載のガントリがリング型ポジトロンＥＣＴ装置を構成するガントリであることを特徴とする請求項１記載の画像診断装置。
【請求項３】
請求項１記載のガントリがリング型シングルフォトンＥＣＴ装置を構成するガントリであることを特徴とする請求項１記載の画像診断装置。
【請求項４】
請求項１記載のガントリが検出器対向型ポジトロンＥＣＴ装置を構成するガントリであることを特徴とする請求項１記載の画像診断装置。
【請求項５】
請求項１記載のガントリが検出器対向型シングルフォトンＥＣＴ装置を構成するガントリであることを特徴とする請求項１記載の画像診断装置。
【請求項６】
請求項１記載のガントリがＸ線ＣＴ装置を構成するガントリであることを特徴とする請求項１記載の画像診断装置。
【請求項７】
被検者を載置する検診台と、Ｘ線管と受像装置を支持する支持部と、前記支持部を保持する脚部を備えたＸ線撮影装置において、前記脚部は前記支持部を回転可能に保持する保持部と、前記支持部を回転とともに前記被検者の視野外に移動する回転移動手段とを備えていることを特徴とするＸ線撮影装置。
【発明の詳細な説明】
【技術分野】
【０００１】
本発明は、ポジトロンＥＣＴ装置、シングルフォトンＥＣＴ装置、Ｘ線ＣＴ装置またはＸ線撮影装置などの画像診断装置に係り、特に、被検者に不安感・圧迫感を与えない装置構成に関する。
【背景技術】
【０００２】
例えば、ポジトロンＥＣＴ（Ｅｍｉｓｓｉｏｎ  Ｃｏｍｐｕｔｅｄ  Ｔｏｍｏｇｒａｐｈｙ）装置またはシングルフォトンＥＣＴ装置、Ｘ線ＣＴ装置などは、被検者の体内の形態情報あるいは機能情報を画像化する画像診断装置であり、通常、被検者を載置する検診台と、画像を検出するスキャナを備えたガントリで構成される。検診台には被検者が座って検査を受ける椅子型と、横臥して検査を受ける寝台型とがある。スキャナには被検者の検査部位を挿入するトンネルが形成されている。
【０００３】
Ｘ線撮影装置などの画像診断装置は、被検者を載置する検診台と、Ｘ線管と受像装置を支持する支持部と、前記支持部を保持する脚部で構成され、被検者の体内の形態情報あるいは機能情報を画像化する。前記検診台には被検者が座って検査を受ける椅子型と、横臥して検査を受ける寝台型とがある。
【０００４】
一方、医療用計測装置を構成する椅子型の検診台において、背もたれ部に対してヘッドレストの頭部受け面の位置を左右に変更することで、その頭部受け面と被検者の頭部との間に詰め物を介在させることなく、その頭部の位置を検出器に対して左右に調節できる機構が提案されている（特許文献１参照）。
【先行技術文献】
【特許文献】
【０００５】
【特許文献１】特開平１０−２１６０９９号公報
【発明の概要】
【発明が解決しようとする課題】
【０００６】
椅子型の検診台に座って検査を受ける被検者は、重量物であるスキャナあるいはＸ線管と受像装置を支持する支持部の下に設置された椅子型検診台にもぐりこむように座ることになるため、スキャナあるいは支持部が頭上に落下してくるような不安感を感じる。寝台型の検診台に横臥して検査を受ける被検者は、大きな構造物であるスキャナあるいは支持部の横に頭部を持っていくことになるため、スキャナあるいは支持部が倒れてくるような不安感や、圧迫感を感じる。
【課題を解決するための手段】
【０００７】
本発明は、被検者を載置する検診台と、ガントリを備えた画像診断装置において、前記ガントリはスキャナと、前記スキャナを回転可能に保持する保持部と、前記スキャナを回転とともに前記被検者の視野外に移動する回転移動手段とを備えるものである。さらに前記ガントリがリング型ポジトロンＥＣＴ装置、リング型シングルフォトンＥＣＴ装置、検出器対向型ポジトロンＥＣＴ装置、検出器対向型シングルフォトンＥＣＴ装置またはＸ線ＣＴ装置を構成するガントリである。
【０００８】
あるいは、被検者を載置する検診台と、Ｘ線管と受像装置を支持する支持部と、前記支持部を保持する脚部を備えたＸ線撮影装置において、前記脚部は前記支持部を回転可能に保持する保持部と、前記支持部を回転とともに前記被検者の視野外に移動する回転移動手段とを備えるものである。したがって、被検者はスキャナあるいは支持部に対して不安感や圧迫感を感じることはない。
【発明の効果】
【０００９】
椅子型の検診台に座って検査を受ける被検者は、保持部に支持されたスキャナあるいは支持部が回転とともに被検者の視野外に移動する構成であるため、スキャナあるいは支持部が頭上に落下してくるような不安感を感じない。寝台型の検診台に横臥して検査を受ける被検者は、保持部に支持されたスキャナあるいは支持部が回転とともに被検者の視野外に移動する構成であるため、スキャナあるいは支持部が倒れてくるような不安感や、圧迫感を感じない。
【図面の簡単な説明】
【００１０】
【図１】本発明の実施例１によるリング型ポジトロンＥＣＴ装置の概略構成を示す図である。
【図２】本発明の実施例２によるリング型ポジトロンＥＣＴ装置の概略構成を示す図である。
【発明を実施するための形態】
【００１１】
本発明の実施例１によるリング型ポジトロンＥＣＴ装置は、椅子型の検診台とガントリで構成される。本発明の実施例２によるリング型ポジトロンＥＣＴ装置は、寝台型の検診台とガントリで構成される。
【実施例１】
【００１２】
本発明の実施例１について図１を参照して説明する。図１は、本発明の実施例１によるリング型ポジトロンＥＣＴ装置の概略構成を示す図であり、図１（１）はスキャナ４が退避状態にあるときの概略構成を示し、図１（２）はスキャナ４が使用状態にあるときの概略構成を示す図である。
【００１３】
本発明の実施例１によるリング型ポジトロンＥＣＴ装置は、図１（１）、（２）に示すとおり被検者９を座らせる椅子型の検診台１と、ガントリ２で構成される。ガントリ２は、下端が床に固定された脚３と、脚３の上方に回転可能に支持された保持部８と、一端が保持部８に保持されたスキャナ４と、保持部８と軸着された大歯車６と、大歯車６と歯合する小歯車７と、小歯車７と軸着され脚３に固定されたモータ５で構成される。
【００１４】
スキャナ４には、概中央部に被検者９の検査部位を挿入する概円筒状のトンネル１０が形成され、トンネル１０の外周に近接して検出器１１が配設されている。スキャナ４はモータ５の回転にともない保持部８を回転中心として回転移動し、撮影していないときは図１（１）に示すとおり退避位置にあり、撮影するときは図１（２）に示すとおり被検者９の検査部位がトンネル１０に挿入される位置にある。
【００１５】
被検者９の検査は次のとおり行われる。（１）被検者９を検診台１に座らせる。（２）モータ５を起動しスキャナ４を回転移動させ、被検者９の検査部位（頭部）をトンネル１０に挿入する。（３）撮影を行う。（４）モータ５を逆回転させ、スキャナ４を退避位置に戻す。（５）被検者９を検診台１から降ろす。
【００１６】
本発明は以上の構成であるから、椅子型の検診台１に座って検査を受ける被検者９は、保持部８に保持されたスキャナ４が回転とともに被検者９の後方の退避位置に移動するため、スキャナ４が頭上に落下してくるような不安感を感じない。さらに、撮影時スキャナ４が被検者９の視野をさえぎらない位置で撮影する場合は、一連の検査の全工程においてスキャナ４が被検者９の視野に入ることがないため、被検者９にスキャナ４の存在を意識させることがなくなり、与える圧迫感を大幅に軽減できる。
【実施例２】
【００１７】
本発明の実施例２について図２を参照して説明する。図２は、本発明の実施例２によるリング型ポジトロンＥＣＴ装置の概略構成を示す図であり、図２（１）はスキャナ２４が退避状態にあるときの概略構成を示し、図２（２）はスキャナ２４が使用状態にあるときの概略構成を示す図である。
【００１８】
本発明の実施例２によるリング型ポジトロンＥＣＴ装置は、図２（１）、（２）に示すとおり被検者２９を横臥させる寝台型の検診台２１と、ガントリ２２で構成される。ガントリ２２は、下端が床に固定された脚２３と、脚２３の上方に回転可能に支持された保持部２８と、一端が保持部２８に保持されたスキャナ２４と、保持部２８と軸着された大歯車２６と、大歯車２６と歯合する小歯車２７と、小歯車２７と軸着され脚２３に固定されたモータ２５と、スキャナ２４が退避状態にあるときスキャナ２４の一端を支える支柱３２で構成される。
【００１９】
スキャナ２４には、概中央部に被検者２９の検査部位を挿入する概円筒状のトンネル３０が形成され、トンネル３０の外周に近接して検出器３１が配設されている。スキャナ２４はモータ２５の回転にともない保持部２８を回転中心として回転移動し、撮影していないときは図２（１）に示すとおり退避位置にあり、撮影するときは図２（２）に示すとおり被検者２９の検査部位がトンネル３０に挿入される位置にある。
【００２０】
被検者２９の検査は次のとおり行われる。（１）被検者２９を検診台２１に横臥させる。（２）モータ２５を起動しスキャナ２４を回転移動させ、被検者２９の検査部位（頭部）をトンネル３０に挿入する。（３）撮影を行う。（４）モータ２５を逆回転させ、スキャナ２４を退避位置に戻す。（５）被検者２９を検診台２１から降ろす。
【００２１】
本発明は以上の構成であるから、寝台型の検診台２１に横臥して検査を受ける被検者２９は、保持部２８に保持されたスキャナ２４が回転とともに被検者２９の視野外に移動するため、スキャナ２４が倒れてくるような不安感や、圧迫感を感じない。さらに、撮影時スキャナ２４が被検者２９の視野をさえぎらない位置で撮影する場合は、一連の検査の全工程においてスキャナ２４が被検者２９の視野に入ることがないため、被検者２９にスキャナ２４の存在を意識させることがなくなり、与える圧迫感を大幅に軽減できる。
【００２２】
図に示す実施例においては、スキャナ４、２４の退避状態と使用状態との間の移動を回転移動のみにより行っているが、他の移動手段、例えば平行移動を組み合わせて移動させてもよい。また、実施例ではスキャナ４、２４の移動の駆動源にモータ５、２５を用いているが、他の手段、例えばリニアアクチュエータを用いてもよく、あるいは手動で移動させる構成でもよい。
【００２３】
また、実施例ではリング型ポジトロンＥＣＴ装置について本発明を適用しているが、リング型シングルフォトンＥＣＴ装置、検出器対向型ポジトロンＥＣＴ装置、検出器対向型シングルフォトンＥＣＴ装置またはＸ線撮影装置などの画像診断装置についても本発明は適用可能である。上述のとおり本発明は図示例に限定されるものではなく種々の変形例を包含する。
【産業上の利用可能性】
【００２４】
本発明は、ポジトロンＥＣＴ装置、シングルフォトンＥＣＴ装置、Ｘ線ＣＴ装置またはＸ線撮影装置などの画像診断装置に係り、特に、被検者に不安感・圧迫感を与えない装置構成に利用の可能性がある。
【符号の説明】
【００２５】
１  検診台
２  ガントリ
３  脚
４  スキャナ
５  モータ
６  大歯車
７  小歯車
８  保持部
９  被検者
１０  トンネル
１１  検出器
２１  検診台
２２  ガントリ
２３  脚
２４  スキャナ
２５  モータ
２６  大歯車
２７  小歯車
２８  保持部
２９  被検者
３０  トンネル
３１  検出器
３２  支柱
【図１】
2011104118.tif 000003
【図２】
2011104118.tif 000004